(57)【特許請求の範囲】
【請求項１】
外部からの操作信号を受け入れる操作信号受入手段と、
受け入れた前記操作信号に応じて映像信号を生成する映像信号生成手段と、
生成した前記映像信号と、受け入れた前記操作信号とを対応付けて記録媒体に記録する記録手段とを有する映像信号記録装置において、
前記操作信号受入手段は、
前記操作信号として、前記映像信号の生成の開始・終了を示す開始・終了信号と、生成した前記映像信号の所定の位置を指定する指定信号とを少なくとも受け入れ、
前記記録手段は、受け入れた前記開始・終了信号および指定信号を前記映像信号と共に前記記録媒体のヘリカルトラックに記録し、受け入れた前記開始・終了信号および当該指定信号をさらに長手トラックに記録する
映像信号記録装置。
【請求項２】
前記記録手段は、前記操作信号として、前記映像信号の生成の開始・終了を示す開始・終了信号と、生成した前記映像信号の所定の位置を指定する指定信号を受け入れてから、所定の時間、前記操作信号と同一の信号を生成し、前記記録媒体に記録する
ことを特徴とする請求項１記載の映像信号記録装置
【請求項３】
映像信号の生成の開始・終了信号および生成した当該映像信号の所定の位置を指定する指定信号を少なくとも含む操作信号を前記映像信号と共にヘリカルトラックに記録し、前記操作信号をさらに長手トラックに記録した記録媒体を用いた映像信号編集装置であって、
表示手段と、
前記ヘリカルトラックに記録された前記操作信号を読み出せる再生速度で前記記録媒体から前記映像信号を読み出して再生する場合に、前記ヘリカルトラックから前記操作信号を読み出し、前記ヘリカルトラックに記録された前記操作信号を読み出せない再生速度で前記記録媒体から前記映像信号を読み出して再生する場合に、前記長手トラックから前記操作信号を読み出し、前記読み出した操作信号に基づいて前記読み出した映像信号を再生し、当該再生に応じた画面を前記表示手段に表示する再生手段と
を有する映像信号編集装置。
【請求項４】
前記再生手段が再生した前記映像信号の画面のサイズを縮小した縮小映像信号を前記表示手段に表示させる映像縮小手段と、
ランダムアクセス可能な記録手段と、
前記表示手段に表示された前記縮小映像信号を指定するポインティング手段と、
前記指定された前記縮小映像信号に対応する所定の期間の前記映像信号を前記記録
手段に記録させる記録制御手段と
をさらに有する請求項３に記載の映像信号編集装置。
【請求項５】
前記記録制御手段は、指定した前記縮小映像信号より早い時点から前記映像信号を前記記録手段に記録させる
請求項４に記載の映像信号編集装置。
【発明の詳細な説明】
【０００１】
【発明の属する技術分野】
本発明は、編集作業上重要な映像信号の撮影開始・終了点等の検索を容易にする映像信号記録装置および映像信号編集装置に関する。
【０００２】
【従来の技術】
例えば放送局において、ビデオテープあるいはハードディスクからディジタル形式の映像信号（ビデオ信号）を読み出して編集し、例えばニュース用の映像信号を制作するために用いられる映像信号編集装置が従来から用いられている。
【０００３】
映像信号編集装置には、ビデオテープが記録媒体として用いられる。ビデオテープは、長時間の映像信号を記録することができる点で優れているが、映像信号の任意の部分へのランダムアクセスが困難である。
また、映像信号編集装置には、ハードディスクも記録媒体として用いられる。ハードディスクはランダムアクセス性に優れ、映像信号の任意の部分を短時間の内に数多く読み出すことができるという特徴がある。しかしながら、現時点ではビデオテープほど長時間の映像信号を記録することはできない。
従って、ビデオテープとハードディスクとを併用して、まず、撮影した長時間の映像信号をビデオテープに記録し、ビデオテープに記録されている映像信号の内、実際の編集に必要な部分のみを探し出してハードディスクに移し、ハードディスクから任意の部分を読み出して編集作業に用いると便利である。
【０００４】
【発明が解決しようとする課題】
上述のように、ビデオテープとハードディスクとを編集作業に併用すると便利であるが、この際、ビデオテープに記録された長時間の映像信号から編集に必要な部分を探し出すことに多くの労力が必要とされる。
つまり、ビデオテープを早送り（ＦＷＤ）または早巻き戻し（ＲＥＶ）しながら映像信号を再生して編集に必要な部分を探し、見つけた部分をハードディスクに写す作業が編集者に要求され、この作業は多くの時間と手間とを要する。
この作業の利便を図るために、例えば特公昭６１−４４４３７号公報に開示された「編集情報取り出し方法」が知られている。この方法は、ある時点で再生している映像信号のコマ、および、それ以前に再生した映像信号の数コマを、１つの画面の中に縮小して順次、表示し、映画のフィルムを編集するのと同等な詳細な映像編集環境を提供しようとするものである。
【０００５】
しかしながら、特公昭６１−４４４３７号公報に開示された方法によると、その時点で再生している映像信号の近傍の数コマを表示できても、より広い範囲の映像信号、例えば、場面が変わる部分の映像信号のみをビデオテープの全体から取り出して表示することはできない。
また、例えば特公昭６１−４４４３７号公報には、映像信号の場面の境目の複数の映像をそれぞれ縮小し、１つの画面の中表示する方法も記載されている。
【０００６】
しかしながら、特公昭６１−４４４３７号公報には、どのように映像信号の場面の境目を検出するのか具体的に開示されていない。また、この方法によると、１つの場面の中に含まれる重要な部分を指示することはできない。
本発明は、上述した従来技術の問題点に鑑みてなされたものであり、編集の際に、ビデオテープに記録された映像信号から必要な部分を探し出す作業の時間と労力を少なくすることができる映像信号記録装置および映像信号編集装置を提供することを目的とする。
【０００７】
また、本発明は、ビデオテープに記録された映像信号から探し出した部分をランダムアクセスが容易な記録媒体に移して編集作業に供し、編集作業を効率化することができる映像信号記録装置および映像信号編集装置を提供することを目的とする。
【０００８】
【課題を解決するための手段】
本発明に係る映像信号記録装置は、上述した問題点を克服するために、第１の発明は、外部からの操作信号を受け入れる操作信号受入手段と、受け入れた前記操作信号に応じて映像信号を生成する映像信号生成手段と、生成した前記映像信号と、受け入れた前記操作信号とを対応付けて記録媒体に記録する記録手段とを有する映像信号記録装置であって、前記操作信号受入手段は、前記操作信号として、前記映像信号の生成の開始・終了を示す開始・終了信号と、生成した前記映像信号の所定の位置を指定する指定信号とを少なくとも受け入れ、前記記録手段は、受け入れた前記開始・終了信号および指定信号を前記映像信号と共に前記記録媒体のヘリカルトラックに記録し、受け入れた前記開始・終了信号および当該指定信号をさらに長手トラックに記録する。
【０００９】
本発明の映像信号編集装置は、映像信号の生成の開始・終了信号および生成した当該映像信号の所定の位置を指定する指定信号を少なくとも含む操作信号を前記映像信号と共にヘリカルトラックに記録し、前記操作信号をさらに長手トラックに記録した記録媒体を用いた映像信号編集装置であって、表示手段と、前記ヘリカルトラックに記録された前記操作信号を読み出せる再生速度で前記記録媒体から前記映像信号を読み出して再生する場合に、前記ヘリカルトラックから前記操作信号を読み出し、前記ヘリカルトラックに記録された前記操作信号を読み出せない再生速度で前記記録媒体から前記映像信号を読み出して再生する場合に、前記長手トラックから前記操作信号を読み出し、前記読み出した操作信号に基づいて前記読み出した映像信号を再生し、当該再生に応じた画面を前記表示手段に表示する再生手段とを有する。
【００１０】
【発明の実施の形態】
第１実施例
以下、本発明の第１の実施例を説明する。
図１は、本発明に係る映像信号記録装置４の構成を示す図である。
図１に示すように、映像信号記録装置４は、カメラ部４０、制御部（ＣＰＵ）４２、ＶＴＲ装置４４、ビューファインダ４６および操作部４８から構成され、操作部４８には、録画用スイッチ４８０およびグッドシーン（GS;Good Scene）用スイッチ４８２が接続されている。
映像信号記録装置４は、これらの構成部分により、撮影開始点、撮影終了点および重要な部分（グットシーン）等を示すサンプリング用データと映像信号とをビデオテープ１２０に記録する。
操作部４８は、録画用スイッチ４８０およびグッドシーン用スイッチ４８２を介しての撮影者の操作を受け入れ、操作内容を制御部４２に対して操作データとして出力する。
【００１１】
制御部４２は、操作部４８から入力された操作データに基づいてカメラ部４０およびＶＴＲ装置４４を制御する。
また、制御部４２は、映像信号とともにビデオテープ１２０に記録されるタイムコード（ＴＣ；Time Code）データおよびサンプリング用データを生成し、ビデオテープ１２０に対して出力する。
制御部４２が発生するサンプリング用データには、例えば、撮影者が録画用スイッチ４８０を押下しているか否か、つまり、撮影の開始点と終了点とを示す撮影開始・終了データと、撮影者がグッドシーン用スイッチ４８２を押下しているか否か、つまり、撮影者が重要と考える映像の位置を示すグットシーンデータとが含まれる。
【００１２】
カメラ部４０は、例えばＣＣＤ素子あるいは撮像管等を用いたビデオカメラであって、制御部４２の制御に従って撮影対象を撮影し、映像信号を生成してＶＴＲ装置４４およびビューファインダ４６に対して出力する。
ビューファインダ４６は、カメラ部４０から入力された映像信号を撮影者に対して表示する。
【００１３】
ＶＴＲ装置４４は、制御部４２の制御に従って、制御部４２から入力されたタイムコードデータおよびサンプリング用データと、カメラ部４０から入力された映像信号とをビデオテープ１２０に記録する。
図２Ａは、図１に示したビデオテープ１２０におけるサンプリング用データの記録位置を示す図である。
図２Ｂは、図２Ａに示したサンプリング用データの第１のフォーマットを示す図である。
図２Ｃは、図２Ａに示したサンプリング用データの第２のフォーマットを示す図である。
第２Ａに斜線を付して示すように、制御部４２が生成したサンプリング用データは、ビデオテープ１２０の長手方向に沿ったトラック（長手トラック）と、少なくともビデオテープ１２０のヘリカルトラック１本につき１個ずつの割合で、所定の位置ｄとに記録される。
【００１４】
なお、サンプリング用データをビデオテープ１２０のヘリカルトラックの位置ｄではなく、ヘリカルトラック内のＡＵＸ領域に記録することも可能である。ＡＵＸ領域にサンプリング用データを記録する場合、サンプリング用データはヘリカルトラックごとに異なった位置に記録される。
また、録画用スイッチ４８０が押下または復旧された場合、および、グッドシーン用スイッチ４８２が押下された場合に、連続して一定の期間ｃ、例えば３秒の間、これらの事象を示すデータがサンプリング用データとして記録される。
サンプリング用データを記録する長手トラックとして、例えば、ＳＭＰＴＥ（Society of Motion Picture & Television Engineerings）により規格化されているキュートラック（QUE Track）あるいはタイムコードトラック（Time Code Track）が用いられる。
【００１５】
キュートラックおよびヘリカルトラックにサンプリング用データを記録する場合、図２Ｂに示すように、サンプリング用データと他のデータとを区別するためにサンプリング用データ本体にヘッダを前置し、さらに、サンプリング用データに対する誤り訂正用に誤り訂正符号（ＣＲＣＣ）を後置する。
タイムコードトラックに記録する場合、規格化されたユーザ用の領域にサンプリング用データが記録される。従って、図２Ｃに示すように、キュートラックおよびヘリカルトラックに記録する場合と異なり、サンプリング用データ本体にヘッダを前置する必要がなく、誤り訂正符号のみを後置すればよい。
図２Ａおよび図２Ｂに示すサンプリング用データは、例えば、第０ビット（０オリジン）が録画用スイッチ４８０が押下されたか否かを示す撮影開始・終了ビットとして用いられる。
撮影開始・終了ビットは、撮影者が録画用スイッチ４８０の押下を開始してから数秒間、例えば３秒の間、論理値１になり、これ以外の場合には論理値０になる。
【００１６】
また、例えば、第１ビットはグッドシーン用スイッチ４８２が押下されているか否かを示すグッドシーンビットとして用いられ、撮影者がグッドシーン用スイッチ４８２の押下を開始した場合に一定期間ｃ、例えば３秒の間、論理値１となり、これ以外の場合には論理値０になる。
なお、映像信号記録装置４において、カメラ部４０が本発明に係る映像信号生成手段に相当し、操作部４８、録画用スイッチ４８０およびグッドシーン用スイッチ４８２が本発明に係る操作信号受入手段に相当し、ＶＴＲ装置４４が本発明に係る記録手段に相当する。
以下、映像信号記録装置４の動作を説明する。
まず、例えば、スポーツの試合の取材等において、撮影者が常時、映像信号記録装置４の録画用スイッチ４８０を押下して撮影を行い、映像信号をビデオテープ１２０に記録する場合の映像信号記録装置４の動作を説明する。
【００１７】
スポーツの試合において重要な場面に遭遇した場合、例えばサッカーの試合において得点があった場合、直ちに撮影者は、録画用スイッチ４８０を押下したままグッドシーン用スイッチ４８２を押下して、その時点で撮影している場面が重要な部分の直後であることを示す。
グッドシーン用スイッチ４８２が押下されると、操作部４８はこの旨を制御部４２に対して操作データとして出力する。
制御部４２は、グッドシーン用スイッチ４８２が押下されてから、例えば３秒の間、グッドシーンビット（サンプリング用データの第１ビット）の論理値を１にする。
なお、制御部４２は、グッドシーン用スイッチ４８２が押下されているか否かにかかわらず、撮影開始・終了ビット（サンプリング用データの第０ビット）を録画用スイッチ４８０の押下開始から３秒間、論理値１とし、これ以外の場合には論理値０とする。
さらに、制御部４２は誤り訂正符号を発生してサンプリング用データに後置し、必要に応じてヘッダを前置してＶＴＲ装置４４に対して出力する。
【００１８】
ＶＴＲ装置４４は、ビデオテープ１２０のヘリカルトラックに映像信号およびサンプリング用データを記録し、長手トラックにタイムコードデータおよびサンプリング用データ等を記録する。
次に、場面ごとに頻繁に撮影の開始・中断を繰り返す放送用番組の撮影を行う場合の映像信号記録装置４の動作を説明する。
このような場面には、撮影者は場面ごとに録画用スイッチ４８０の押下と復旧とを繰り返して映像信号をビデオテープ１２０に記録する。
録画用スイッチ４８０が押下されると、操作部４８はこの旨を制御部４２に対して操作データとして出力する。
制御部４２は、録画用スイッチ４８０が押下されてから、例えば３秒の間、撮影開始・終了ビットを論理値１し、３秒経過後に論理値０に戻す。
なお、制御部４２は、グッドシーン用スイッチ４８２が押下されてから３秒以内の場合には、グッドシーンビットの論理値を１にし、これ以外の場合にはグッドシーンビットの論理値を０のままとする。
さらに、制御部４２はサンプリング用データに誤り訂正符号等を付加してＶＴＲ装置４４に対して出力し、ＶＴＲ装置４４は、制御部４２から入力されたサンプリング用データおよび誤り訂正符号等を記録する。
【００１９】
以上説明したように、サンプリング用データをヘリカルトラックだけでなく、長手トラックにも記録するように映像信号記録装置４を構成したので、図２Ａに矢印ａに示すようにビデオテープ１２０を遅い速度で再生し、あるいは、図２Ａに矢印ｂに示すようにビデオテープ１２０を早い速度で再生し、ヘリカルトラックのサンプリング用データが読み出せない可能性がある場合においても、確実に長手トラックからサンプリング用データを読み出すことができる。
また、映像信号記録装置４によれば、撮影者は録画用スイッチ４８０を押下するのみで撮影した場面の境目を示すデータをビデオテープ１２０に記録することができ、また、簡単な操作で重要な部分の位置をビデオテープ１２０に記録することができる。従って、映像信号を再生する際に、併せて、サンプリング用データの第０ビットおよび第１ビットの変化点を検出することにより、編集作業において重要となる場面の境目および重要な部分を容易に検索することができる。
【００２０】
なお、図２Ａにおいては、図示の簡略化の観点からビデオテープ１２０の全てのヘリカルトラックの同じ位置にサンプリング用データが記録される場合を示してあるが、上述のようにサンプリング用データがＡＵＸ領域に記録される場合にはヘリカルトラックの同じ位置に記録されるとは限らない。
また、サンプリング用データがビデオテープ１２０の全てのトラックに必ずしも記録されている必要はなく、例えば所定数おきのトラックの任意の位置にサンプリング用データが記録されるように映像信号記録装置４を構成してもよい。
また、サンプリング用データには、撮影開始・終了ビットおよびグッドシーンビットの両者が必ずしも含まれる必要はなく、これらのいずれかがビデオテープ１２０に記録されるように映像信号記録装置４を構成してもよい。
また、録画用スイッチ４８０が押下された後、所定の期間だけ撮影開始・終了ビットを論理値１とするように構成する場合について説明したが、例えば、録画用スイッチ４８０が復旧された後、一定の時間だけ撮影開始・終了ビットを論理値１にするように映像信号記録装置４を構成してもよい。
また、サンプリング用データを構成するビットの数をさらに増やし、録画用スイッチ４８０およびグッドシーン用スイッチ４８２が押下されているか否か以外の情報をビデオテープ１２０に記録しうるように映像信号記録装置４を構成してもよい。
【００２１】
第２実施例
以下、本発明の第２の実施例を説明する。
図３は、本発明の映像信号編集装置１の構成を示す図である。
図３に示すように、映像信号編集装置１は、映像記録再生装置１０と映像処理装置２０とから構成されている。
映像記録再生装置１０は、ＶＴＲ装置１２とハードディスク装置（ＨＤ装置）１４とから構成されている。
映像信号編集装置１は、これらの構成部分により、例えば、第１の実施例に示した映像信号記録装置４がビデオテープ１２０に記録した映像信号を、映像信号記録装置４が併せて記録したサンプリング用データを利用して編集する。
ＶＴＲ装置１２は、制御部３８の制御に従って、例えば、映像信号記録装置４によりビデオテープ１２０に記録された１つまたは複数の場面から構成される映像信号およびサンプリング用データを再生し、ハードディスク装置１４、ビデオプロセッサ装置（ＶＰ回路）２２および検出装置２４に対して出力する。
また、ＶＴＲ装置１２は、ＨＤ装置１４から入力される映像信号およびサンプリング用データを記録する。
【００２２】
ＨＤ装置１４は、制御部３８の制御に従って、ＶＴＲ装置１２から入力された映像信号およびサンプリング用データの記録し、記録した映像信号およびサンプリング用データを再生し、再生した映像信号をＶＴＲ装置１２、ＶＰ回路２２および検出装置２４に対して出力する。
映像処理装置２０は、ＶＰ回路２２、検出回路２４、テープカウンタ２６、スイッチ２８、サンプリングメモリ（ＳＰＭ）３０、表示装置３４、ポインティングデバイス（ＰＤ）３６および制御部３８から構成されている。
ＶＰ回路２２は、映像信号編集装置１０から入力された映像信号を所定の割合で、例えば、図４を参照して後述する表示装置３４の画面の枠３４２内に表示された場合にその内容が判別可能な割合で画素を間引き、表示装置３４における映像のサイズを縮小するための処理を行う。
検出装置２４は、映像信号編集装置１０から入力された映像信号の場面の境（継ぎ撮り点）および重要な部分の検出、および、継ぎ撮り点に対応する映像信号をサンプリングメモリ３０にサンプリングさせるタイミングを規定するサンプリング信号ＳＰ1の生成を行う。
検出装置２４は、例えば図２Ａ〜図２Ｃに示したサンプリング用データの第０ビットが論理値０から論理値１に変化する点を継ぎ撮り点として検出し、また、サンプリング用データの第１ビットが論理値０から論理値１に変化する点を重要な部分として検出する。
【００２３】
テープカウンタ２６は、ビデオテープ１２０のビデオテープ走行距離を計数し、ビデオテープの計数値が一定数、増加または減少するたびに、サンプリングメモリ３０に映像信号をサンプリングさせるタイミングを規定するサンプリング信号ＳＰ2を生成する。
スイッチ２８は、制御部３８の制御に従って、検出装置２４が生成したサンプリング信号ＳＰ1、または、テープカウンタ２６が生成したサンプリング信号ＳＰ2を選択し、選択した信号（サンプリング信号ＳＰ）をサンプリングメモリ３０に対して出力する。
サンプリングメモリ３０は、スイッチ２８から入力されたサンプリング信号ＳＰに従って、ＶＰ回路２２が間引いた映像信号をサンプリングし、フレーム単位で記憶する。
表示装置３４は、サンプリングメモリ３０に記憶された映像信号を、例えば図４Ｂ〜図４Ｄを参照して後述するような配列で表示する。
ポインティングデバイス３６は、例えばマウス等の装置であって、映像信号編集装置１の操作者の操作により、表示装置３４に表示された映像信号を指定する。
制御部３８は、映像信号編集装置１の各構成部分から入力される信号に基づいて所定の処理を行い、これらを制御する。なお、図示の簡略化のため、図３においては、制御部３８と映像信号編集装置１の他の構成部分との間の接続は適宜、省略されている。
また、上述した映像信号編集装置１の各構成要素の内、ＶＴＲ装置１２が本発明に係る再生手段に相当し、ＶＰ回路２２が本発明に係る映像縮小手段に相当し、表示装置３４が本発明に係るモニタ手段に相当し、検出装置２４、テープカウンタ２６およびスイッチ２８が本発明に係る表示手段に相当する。
【００２４】
以下、図４を参照して映像信号編集装置１の動作を説明する。
図４Ａは映像信号からサンプリングされた映像信号を示し、図４Ｂは表示装置３４の画面に表示される映像全体を示し、図４Ｃは早送り（ＦＷＤ）の際の枠３４２の映像の変化を示し、図４Ｄは早巻き戻し（ＲＥＶ）の際の枠３４２内の映像の変化を示す。
まず、映像信号編集装置１がビデオテープ１２０から映像信号を早送り再生し、再生した映像信号を一定のテープ走行距離ごとにサンプリングして表示する場合について説明する。
この場合、制御部３８は、スイッチ２８に接点ｂ側を選択させ、テープカウンタ２６が生成するサンプリング信号ＳＰ2をサンプリング信号ＳＰとしてサンプリングメモリ３０に対して出力させる。
ＶＴＲ装置１２が、ビデオテープ１２０から映像信号を早送り再生する場合には、図４Ａに示す順方向に映像信号が出力される。つまり、ＶＴＲ装置１２から映像信号Ｐ１，Ｐ２，…，Ｐ２０の順番で映像信号が出力される。
なお、映像信号Ｐ１〜Ｐ２０は、映像信号がＶＰ回路２２により間引かれて縮小され、サンプリングメモリ３０等によりサンプリングされた後の映像信号を示す。
【００２５】
ＶＴＲ装置１２がビデオテープ１２０から映像信号を再生している間、テープカウンタ２６は、ビデオテープ１２０の走行距離を計数する。この走行距離の計数値は、ビデオテープ１２０の再生を始めてからの再生時間に対応する。
テープカウンタ２６は、制御部３８の制御に従って、例えば制御部３８に映像信号の時間長が入力されている場合には、映像信号の全時間長を２０等分した計数値ごとに、単純に一定の走行距離（一定の時間間隔）に対応する計数値ごとに、あるいは、映像信号の所定の範囲を２０等分した計数値ごとにサンプリング信号ＳＰ（ＳＰ2）を生成する。
サンプリングメモリ３０は、ＶＰ回路２２により間引かれた映像信号を、サンプリング信号ＳＰ、つまり、上述のようにテープカウンタ２６の計数値に対応して生成されるサンプリング信号ＳＰ2、または、継ぎ取り点に対応するサンプリング信号ＳＰ1に同期してサンプリングし、映像信号Ｐ１〜Ｐ２０を生成して記憶する。
映像信号Ｐ１〜Ｐ２０は、制御部３８の制御に従って、表示装置３４によりサンプリングメモリ３０から読み出され、図４Ｂに示すように、表示装置３４の画面の枠３４２内に表示される。
枠３４２への映像信号は、例えば図４Ｃの映像ａ，ｂ，ｃ，ｔに示すように、枠３４２の左上端づめで、映像信号Ｐ１〜Ｐ２０が生成されるたびに、対応するテープカウンタ２６の計数値およびタイムコード、あるいはこれらのいずれかとともに順番に表示される。
【００２６】
以下、映像信号編集装置１がビデオテープ１２０から映像信号を早巻き戻し再生し、再生した映像信号を一定の走行距離ごとにサンプリングして表示する場合について説明する。
この場合にも、制御部３８は、スイッチ２８に接点ｂ側を選択させる。
ＶＴＲ装置１２が、ビデオテープ１２０から映像信号を早巻き戻し再生する場合には、図４Ａに示す逆方向に映像信号が出力される。つまり、ＶＴＲ装置１２から映像信号Ｐ２０，Ｐ１９，…，Ｐ１の順番で映像信号が出力される。
ＶＴＲ装置１２がビデオテープ１２０から映像信号を早巻き戻し再生している間、テープカウンタ２６は、ビデオテープ１２０の走行距離を計数する。
テープカウンタ２６は、早送り再生の場合と同様に、サンプリング信号ＳＰ（ＳＰ2）を生成し、サンプリングメモリ３０は、このサンプリング信号に従って映像信号Ｐ１〜Ｐ２０を生成し、記憶する。
映像信号Ｐ２０〜Ｐ１は、制御部３８の制御に従って、表示装置３４によりサンプリングメモリ３０から読み出され、図４Ｄに示すように、表示装置３４の画面の枠３４２内に表示される。
枠３４２への映像信号は、例えば図４Ｄの映像ａ，ｂ，ｃに示すように、枠３４２の左上端づめで、映像信号Ｐ２０〜Ｐ１が生成されるたびにテープカウンタ２６の計数値等とともに順番に表示され、最終的には図４Ｃの映像ｔと同じになる。
【００２７】
以上のように、一定のテープ走行距離ごとに映像信号Ｐ１〜Ｐ２０を生成し、表示すると、例えば、ある場面の内の編集に必要な部分を探す場合に便利である。
また、通常の速度でビデオテープ１２０から映像信号を再生する場合も、上述と同様の動作により、枠３４２内の映像を生成することができる。
以下、ＶＴＲ装置１２から映像信号を順方向に早送り再生し、再生された映像信号の継ぎ撮り点および重要な部分で映像信号をサンプリングする場合について説明する。
この場合、制御部３８は、スイッチ２８に接点ａ側を選択させ、検出装置２４からのサンプリング信号ＳＰ1をサンプリング信号ＳＰとしてサンプリングメモリ３０に対して出力させる。
ＶＴＲ装置１２がビデオテープ１２０から映像信号およびサンプリング用データを早送り再生している間、検出装置２４は、再生されたサンプリング用データの第０ビットおよび第１ビットの変化を検出して、映像信号から継ぎ撮り点および重要な部分を検出する。
検出装置２４は、継ぎ撮り点および重要な部分を検出すると、サンプリング信号ＳＰ（ＳＰ1）を生成する。サンプリングメモリ３０は、このサンプリング信号に従って映像信号Ｐ１〜Ｐ２０を生成し、記憶する。
生成した映像信号Ｐ１〜Ｐ２０およびテープカウンタ２６の計数値等は、上述の一定のテープ走行距離ごとにサンプリング信号を生成する場合と同様に、表示装置３４の画面の枠３４２内に表示される。
【００２８】
なお、早巻き戻しにより、あるいは、通常の速度でビデオテープ１２０から映像信号を再生し、継ぎ取り点等でサンプリングを行う処理も、上述の一定のビデオテープ１２０の走行距離ごとにサンプリングを行う処理、および、映像信号を早送り再生して継ぎ撮り点でサンプリングを行う処理の組み合わせにより実現可能である。
このように、継ぎ撮り点でサンプリングして映像信号Ｐ１〜Ｐ２０を生成すると、それぞれの場面にどのような映像信号が入っているかが一目で判るので便利である。
なお、ＨＤ装置１４の代わりに、他のランダムアクセス可能な記録装置、例えば光磁気ディスク装置等を用いてもよい。
なお、表示装置３４、ポインティングデバイス３６および制御部３８として、例えばノート形パーソナルコンピュータを利用することも可能である。
また、表示すべき映像信号の数が多くなって、表示装置３４の１つの画面に収容しきれなくなった場合には、例えばキーボード操作、あるいは、ポインティングデバイス３８を介した操作により、スクロール表示させるように構成してもよい。
また、枠３４２に表示する映像信号の数、あるいは、表示方法は例示である。また、映像信号編集装置１に枠３４２をスクロール表示する等の表示方法の変更、あるいは、サンプリング間隔の変更等を行っても、本発明の技術的範囲に含まれる。
【００２９】
第３実施例
以下、本発明の第３の実施例を説明する。
第３の実施例においては、映像信号編集装置１の操作者が、ポインティングデバイス３６を用いて枠３４２内に表示された映像信号を指定し、ＨＤ装置１４に編集に必要な映像信号を記録する際の映像信号編集装置１の動作を説明する。
映像信号編集装置１の操作者は、例えばマウスといったポインティングデバイス３６を用いて、図４Ｂに示すポインタ３４６を移動させ、枠３４２内に表示されている映像信号Ｐ１〜Ｐ２０のいずれかをクリックして指定する。
制御部３８は、ポインティングデバイス３６により、映像信号Ｐ１〜Ｐ２０のいずれが指定されたかを検出し、ＶＴＲ装置１２を制御して、例えば映像信号Ｐ５が指定された場合、映像信号Ｐ５から映像信号Ｐ６までの間の映像信号を再生させる。
さらに、制御部３８は、ＶＴＲ装置１２が再生した映像信号をＨＤ装置１４に記録させる。
【００３０】
上述のように、映像信号編集装置１を、枠３４２に表示された映像信号Ｐ１〜Ｐ２０を指定してＨＤ装置１４に記憶させる映像信号の部分を決めるように構成すると、操作者が映像信号の内容を見ながら作業を行うことができるので、作業能率が非常に向上する。
また、ポインティングデバイス３６には、マウスの他、例えばトラックボール等も用いることができる。
また、さらに、図４Ｂに示すように、映像信号編集装置１に対する操作を表示したウィンドウ３４４を表示し、このウィンドウ３４４を指定することにより、映像信号編集装置１に対する操作情報を入力可能にすると、さらに操作性が向上して好適である。
また、検出装置２４が重要な部分として検出した映像信号の部分の指定があった場合は、重要な事象が発生した後にグッドシーン用スイッチ４８２が押下されることが多いので、サンプリング用データの第１ビットが論理値１になる数秒前から指定された映像信号を表示するように映像信号編集装置１を構成すると、より好適である。
【００３１】
以上述べた各実施例に示した他、本発明の映像信号編集装置は、例えばここで述べた変形例に示すように、種々の構成をとることができる。
以上述べたように本発明によれば、ビデオテープに記録された映像信号から編集作業に必要な部分を探し出す作業の時間と労力を少なくすることができる。
また、本発明によれば、ビデオテープに記録された映像信号から探し出した部分をランダムアクセスが容易な記録媒体に移して編集作業に供することができ、編集作業を効率化することができる。
【００３２】
【発明の効果】
本発明に係る映像信号記録装置および映像信号編集装置は、撮影した映像信号を編集して放送用番組を制作する編集装置、その他の種々の信号処理装置において、効果的に用いることができる。
【図面の簡単な説明】
【図１】図１は、本発明に係る映像信号記録装置の構成を示す図である。
【図２】図２Ａは、図１に示したビデオテープ１２０におけるサンプリング用データの記録位置を示す図である。
図２Ｂは、図２Ａに示したサンプリング用データの第１のフォーマットを示す図である。
図２Ｃは、図２Ａに示したサンプリング用データの第２のフォーマットを示す図である。
【図３】図３は、本発明の映像信号編集装置の構成を示す図である。
【図４】図４Ａは、映像信号からサンプリングされた映像信号を示す。
図４Ｂは、表示装置に表示される映像全体を示す。
図４Ｃは、早送りの際の枠内の映像の変化を示す。
図４Ｄは、早巻き戻しの際の枠内の映像の変化を示す。
【図１】
0003723981.tif 000002
【図２Ａ】
0003723981.tif 000003
【図２Ｂ】
0003723981.tif 000004
【図２Ｃ】
0003723981.tif 000005
【図３】
0003723981.tif 000006
【図４】
0003723981.tif 000007
0003723981.tif 000008